(57)【要約】【課題】ストリームデータと共に変化点情報を付加した管理ファイルを記録することができ、記録されたストリームデータの編集作業を容易化すること。【解決手段】ディジタル記録装置１０は、ディジタルビデオ信号及びディジタルオーディオ信号をからなる入力信号をエンコードしてエンコードストリームを生成するエンコーダ１２と、エンコーダ１２のエンコード情報を受け取り、エンコードストリームの管理ファイルを生成するシステムコントローラ１４とを備える。システムコントローラ１４は、変化点検出部２１によりエンコーダ１２がエンコードストリームを生成する際のビットレートの変化量に基づき入力信号におけるビデオ又はオーディオの変化点を検出し、管理ファイル生成部２２により変化点情報を付加した管理ファイルを生成する。【選択図】  図１
2007208874.tif 000002
【特許請求の範囲】
【請求項１】
ディジタルビデオ信号及び／又はディジタルオーディオ信号からなる入力信号をエンコードしてエンコードストリームを生成するエンコーダと、
前記エンコーダが前記エンコードストリームを生成する際の圧縮データ量の変化に基づき前記入力信号におけるビデオ信号及び／又はオーディオ信号の変化点を検出する変化点検出部とを有する変化点検出装置。
【請求項２】
前記変化点検出部は、前記圧縮データ量が第１の所定値より大きい信号から、第１の閾値以上の大きさで減少する第１の時点、又は前記圧縮データ量が第２の所定値未満の信号から、第２の閾値以上の大きさで増加する第２の時点を前記変化点として検出する
ことを特徴とする請求項１記載の変化点検出装置。
【請求項３】
前記変化点検出部は、前記圧縮データ量が第１の所定値より大きい信号から、第１の閾値以上の大きさで減少する第１の時点、又は前記圧縮データ量が第２の所定値未満の信号から、第２の閾値以上の大きさで増加する第２の時点を検出し、当該第１又は第２の時点以前の所定期間の前記圧縮データ量の変化が所定の閾値以内である場合、当該第１又は第２の時点を前記変化点として検出する
ことを特徴とする請求項１記載の変化点検出装置。
【請求項４】
前記変化点検出部は、前記圧縮データ量が第１の所定値より大きい信号から、第１の閾値以上の大きさで減少する第１の時点、又は前記圧縮データ量が第２の所定値未満の信号から、第２の閾値以上の大きさで増加する第２の時点を検出し、当該第１又は第２の時点以前の所定期間の前記圧縮データ量の変化が所定の閾値以内である場合、及び／又は、当該第１又は第２の時点以降の所定期間の前記圧縮データ量の変化が所定の閾値以内である場合、当該第１又は第２の時点を前記変化点として検出する
ことを特徴とする請求項１記載の変化点検出装置。
【請求項５】
前記システムコントローラは、前記ディジタルビデオ信号の圧縮データ量の変化及び／又はディジタルオーディオ信号の圧縮データ量の変化に基づき前記開始位置を検出する
ことを特徴とする請求項１乃至４のいずれか１項記載の変化点検出装置。
【請求項６】
ディジタルビデオ信号及びディジタルオーディオ信号をエンコードしてエンコードストリームを生成し、
前記エンコーダが前記エンコードストリームを生成する際の圧縮データ量の変化に基づきディジタルビデオ信号及びディジタルイーディオ信号におけるビデオ信号又はオーディオ信号の変化点を検出する変化点検出方法。
【請求項７】
ディジタルビデオ信号及び／又はディジタルオーディオ信号からなる入力信号をエンコードしてエンコードストリームを生成するエンコーダと、
前記エンコーダのエンコード情報に基づき前記エンコードストリームの管理ファイルを生成するシステムコントローラとを有し、
前記システムコントローラは、前記エンコーダが前記エンコードストリームを生成する際の圧縮データ量の変化に基づき前記入力信号におけるビデオ信号及び／又はオーディオ信号の変化点を検出し、前記変化点情報を付加した前記管理ファイルを生成する記録装置。
【請求項８】
前記システムコントローラは、前記圧縮データ量が第１の所定値より大きい信号から、第１の閾値以上の大きさで減少する第１の時点、又は前記圧縮データ量が第２の所定値未満の信号から、第２の閾値以上の大きさで増加する第２の時点を前記変化点として検出する
ことを特徴とする請求項７記載の記録装置。
【請求項９】
前記システムコントローラは、前記圧縮データ量が第１の所定値より大きい信号から、第１の閾値以上の大きさで減少する第１の時点、又は前記圧縮データ量が第２の所定値未満の信号から、第２の閾値以上の大きさで増加する第２の時点を検出し、当該第１又は第２の時点以前の所定期間の前記圧縮データ量の変化が所定の閾値以内である場合、当該第１又は第２の時点を前記変化点として検出する
ことを特徴とする請求項７記載の記録装置。
【請求項１０】
前記システムコントローラは、前記圧縮データ量が第１の所定値より大きい信号から、第１の閾値以上の大きさで減少する第１の時点、又は前記圧縮データ量が第２の所定値未満の信号から、第２の閾値以上の大きさで増加する第２の時点を検出し、当該第１又は第２の時点以前の所定期間の前記圧縮データ量の変化が所定の閾値以内である場合、及び／又は、当該第１又は第２の時点以降の所定期間の前記圧縮データ量の変化が所定の閾値以内である場合、当該第１又は第２の時点を前記変化点として検出する
ことを特徴とする請求項７記載の記録装置。
【請求項１１】
前記システムコントローラは、前記ディジタルビデオ信号の圧縮データ量の変化及び／又はディジタルオーディオ信号の圧縮データ量の変化に基づき前記変化点を検出する
ことを特徴とする請求項７乃至１０のいずれか１項記載の記録装置。
【請求項１２】
前記入力信号を前記エンコーダへ供給する信号供給部を有し、
前記信号供給部は、前記入力信号に含まれる前記ディジタル画像信号の開始タイミングを前記システムコントローラに通知し、
前記システムコントローラは、前記開始タイミング及び前記圧縮データ量の変化に基づき前記変化点を検出する
ことを特徴とする請求項７乃至１１のいずれか１項記載の記録装置。
【請求項１３】
前記信号供給部は、アナログ画像信号をディジタル画像信号に変換する
ことを特徴とする請求項７乃至１２のいずれか１項記載の記録装置。
【請求項１４】
前記信号供給部は、圧縮されたディジタル画像信号を無圧縮のディジタル画像信号にデコードする
ことを特徴とする請求項７乃至１２のいずれか１項記載の記録装置。
【請求項１５】
前記変化点情報を付加した前記管理ファイルは、チャプタを付加したインデックスファイルである
ことを特徴とする請求項７記載の記録装置。
【請求項１６】
ディジタルビデオ信号及び／又はディジタルオーディオ信号からなる入力信号をエンコードしてエンコードストリームを生成するエンコーダと、
前記エンコーダのエンコード情報に基づき前記エンコードストリームの管理ファイルを生成するシステムコントローラと、
前記エンコードストリーム及び管理ファイルを記録する記録部と、
前記記録部に記録されたエンコードストリームをデコードして再生する再生処理部とを有し、
前記システムコントローラは、前記エンコーダが前記エンコードストリームを生成する際の圧縮データ量の変化に基づき前記入力信号におけるビデオ信号及び／又はオーディオ信号の変化点を検出し、前記変化点情報を付加した前記管理ファイルを生成し、
前記再生処理部は、前記管理ファイルに付加された前記変化点情報に基づき前記エンコードストリームを再生する記録再生装置。
【請求項１７】
前記再生処理部は、前記エンコードストリームをデコードして再生する際、前記管理ファイルに付加された前記変化点情報に基づき前記エンコードストリームのサムネイルを表示させる
ことを特徴とする請求項１６記載の記録再生装置。
【請求項１８】
前記再生処理部は、前記管理ファイルに付加された前記変化点情報に基づき前記エンコードストリームを編集する機能を有し、前記エンコードストリームの前記変化点以前のストリームを削除する
ことを特徴とする請求項１６記載の記録生成装置。
【発明の詳細な説明】
【技術分野】
【０００１】
本発明は、ディジタルビデオ信号及び／又はディジタルオーディオ信号からなる入力信号に含まれる、例えば映像開始点などの変化点を検出する変化点検出装置及び方法、並びに変化点検出機能を備える記録装置及び記録再生装置に関する。
【背景技術】
【０００２】
現在、ハードディスクレコーダ等の大容量記録装置や、ＤＶＤ（Digital Versatile Disk）等の記憶容量の増加に伴い、簡単に大容量の映像信号を取り扱うことができるようになっている。このため、ユーザは、一旦録画した番組や、ディジタルビデオカメラで写した映像を、大容量記録装置にダビングして編集したり、編集した映像をＤＶＤ等に記録して保存することが可能となっている。この場合、例えばシーンチェンジや、番組中のＣＭなどを自動検出することができれば、ユーザの編集作業が容易になる。
【０００３】
図６は、従来のディジタル画像記録装置を示すブロック図である。ディジタル画像記録装置１１０は、ディジタルビデオ信号及びディジタルオーディオ信号を出力する信号入力部１１１、ＭＰＥＧ（Moving Picture Expert Group）などの所定の方式により画像圧縮を行なうエンコーダ１１２、エンコードされたストリームを一旦蓄えるバッファ１１３、各ブロックを制御するシステムコントローラ１１４及び記録部１４０を備える。
【０００４】
ユーザは、ディジタルカメラ等で撮影した映像又はテレビジョン映像などを再生装置１３０から信号入力部１１１へ供給し、一旦記録部１４０に記録保存し、所望の映像のみからなる編集映像を作成したり、不要部分を削除するなどの編集を行うことができる。
【０００５】
従来、例えば、特許文献１には、フィルム映像がテレビジョン映像に変換（テレシネ変換）されているのに対し、ＣＭ映像部分は当該変換がされていないことを利用し、フレームを跨いだ２つフィールド映像が一致するフィールド一致がない期間をＣＭ部分として検出する記録装置が開示されている。また、特許文献２には、フレーム間距離を計算し、フレーム間距離が所定の閾値より大きい場合にシーンチェンジがあると判定し、各シーンの先頭フレームの一方を蓄積／管理する動画像シーン情報管理装置が開示されている。これらの装置を利用することで、ＣＭ部分がカットされた映像を保存したり、シーンチェンジ毎にサムネイルを表示させた編集映像を作成したりすることができる。
【０００６】
ところで、通常、再生装置１３０から記録部１４０へ映像を供給して録画する場合、システムコントローラ１１４は、録画開始の指示と同時に、再生装置１３０からの画像を信号入力部１１１へ入力し、これと同時にエンコーダ１１２を制御して信号入力部からのビデオデータ及びオーディオデータを圧縮する。そして、これを記録部１４０に送り、記録（録画）を行う。
【特許文献１】特開２０００−６９４１４号公報
【特許文献２】特開２００１−３２６９０１号公報
【発明の開示】
【発明が解決しようとする課題】
【０００７】
しかしながら、上述のディジタル記録装置は、信号入力部１１１とエンコーダ１１２とをシステムコントローラ１１４により同時に制御するため、各部の信号遅延（システムディレイ）により実際のデータ変化点が考慮されないこととなる。そうすると、例えばブルーバックやホワイトノイズといった余分な映像又は映像信号のない無信号部分（以下、これら本来の映像信号以外の映像を不要映像という。）が録画されてしまったりする。
【０００８】
すなわち、ビデオテープからの映像をＤＶＤレコーダ等の記録部１４０に録画する場合を考えると、ビデオテープの先頭部分には、映像が入ってない上記不要映像が存在する。よってこれを記録部１４０に録画すると例えば砂嵐状のノイズなどの不要映像が録画されてしまう場合がある。一般に、記録装置には、自動選択した縮小画像（サムネイル）により、ＤＶＤ又はハードディスク内のタイトル（番組）を一覧表示する機能を有しているが、サムネイルとして上記砂嵐状のノイズ部分が選択表示されると、ユーザがタイトルの内容を識別することができなくなってしまう。ユーザは、本来の映像信号部分のサムネイルを表示させてタイトルを識別したい場合には、録画後に編集機能等で当該不要映像信号部分を削除することが考えられるが、当該不要映像と本来の映像との切れ目を見つける作業が必要となり極めて煩雑な編集作業が必要となってしまう。
【課題を解決するための手段】
【０００９】
本発明に係る変化点検出装置は、ディジタルビデオ信号及び／又はディジタルオーディオ信号からなる入力信号をエンコードしてエンコードストリームを生成するエンコーダと、前記エンコーダが前記エンコードストリームを生成する際の圧縮データ量の変化に基づき前記入力信号におけるビデオ信号及び／又はオーディオ信号の変化点を検出する変化点検出部とを有するものである。
【００１０】
本発明にかかる記録装置は、ディジタルビデオ信号及び／又はディジタルオーディオ信号からなる入力信号をエンコードしてエンコードストリームを生成するエンコーダと、前記エンコーダのエンコード情報に基づき前記エンコードストリームの管理ファイルを生成するシステムコントローラとを有し、前記システムコントローラは、前記エンコーダが前記エンコードストリームを生成する際の圧縮データ量の変化に基づき前記入力信号におけるビデオ信号及び／又はオーディオ信号の変化点を検出し、前記変化点情報を付加した前記管理ファイルを生成するものである。
【００１１】
本発明においては、圧縮データの変化量に基づき入力信号におけるビデオ信号又はオーディオ信号の変化点を検出することができる、変化点情報を付加した管理ファイルを生成することができる。
【００１２】
本発明にかかる記録再生装置は、ディジタルビデオ信号及び／又はディジタルオーディオ信号からなる入力信号をエンコードしてエンコードストリームを生成するエンコーダと、前記エンコーダのエンコード情報に基づき前記エンコードストリームの管理ファイルを生成するシステムコントローラと、前記エンコードストリーム及び管理ファイルを記録する記録部と、前記記録部に記録されたエンコードストリームをデコードして再生する再生処理部とを有し、前記システムコントローラは、前記エンコーダが前記エンコードストリームを生成する際の圧縮データ量の変化に基づき前記入力信号におけるビデオ信号及び／又はオーディオ信号の変化点を検出し、前記変化点情報を付加した前記管理ファイルを生成し、前記再生処理部は、前記管理ファイルに付加された前記変化点情報に基づき前記エンコードストリームを再生するものである。
【００１３】
本発明においては、再生処理部が圧縮データの変化量に基づき検出された変化点の変化点情報が付加された管理ファイルに基づきエンコードストリームを再生する。この場合、例えば変化点以前のストリームを表示しないようにしたり、変化点の画像をサムネイルとして表示させることなどが可能となる。
【発明の効果】
【００１４】
本発明にかかる変化点検出装置及び方法によれば、記録するストリームデータの変化点を検出することができる。また、本発明にかかる記録装置及び記録再生装置によれば、ストリームデータと共に変化点情報を付加した管理ファイルを記録することができ、記録されたストリームデータの編集作業を容易化することができる。
【発明を実施するための最良の形態】
【００１５】
以下、本発明を適用した具体的な実施の形態について、図面を参照しながら詳細に説明する。この実施の形態は、本発明を、上述したブルーバックやホワイトノイズといった余分な映像部分又は映像信号のない無信号部分（不要映像部分）と、本来の映像が開始される切れ目を示す映像開始点を変化点として検出する変化点検出機能を備えた記録装置に適用したものである。
【００１６】
実施の形態１．
図１は、本発明の実施の形態にかかるディジタル画像記録装置を示すブロック図である。図１に示すように、本実施の形態にかかるディジタル画像記録装置１０は、ディジタルビデオ信号及びディジタルオーディオ信号を出力する信号入力部１１、ＭＰＥＧなどの所定の方式により画像圧縮を行なうエンコーダ１２、エンコードされたストリームを一旦蓄えるバッファ１３、各ブロックを制御するシステムコントローラ１４及び記録部４０を備える。
【００１７】
ディジタル画像記録装置１０は、例えばビデオカメラで撮影される等したディジタル信号又はアナログ信号や、ビデオテープに記録されたテレビジョン映像等が再生装置３０から供給され、これをエンコードして図示せぬハードディスク又は光ディスク等を備える記録部４０へ供給する。なお、記録部４０は、ＤＶＤなどの着脱可能な記録媒体に対してデータを記録するものであっても、ハードディスクドライブのように内蔵された記録媒体に対してデータを記録するものであってもよい。
【００１８】
信号入力部１１は、ビデオデコーダ及び／又はＤＶ（Digital Video：ＩＥＣ６１８３４）コーデックなどからなり、入力されるアナログビデオ信号、アナログオーディオ信号をディジタルビデオ信号、ディジタルオーディオ信号に変換したり、ＤＶデータをデコードして無圧縮のディジタルビデオ信号、ディジタルオーディオ信号に変換し、変換したディジタルビデオ信号、ディジタルオーディオ信号をエンコーダ１２へ供給する。また、信号入力部１１は、入力信号があるか否か、すなわち例えば映像開始までの無信号期間がある場合はこれを検出してシステムコントローラ１４に通知する。
【００１９】
エンコーダは、ＭＰＥＧ２等の所定の方式でディジタルビデオ信号及びディジタルオーディオ信号を圧縮する。その際、エンコーダ１２は、エンコードの際の情報（以下、エンコード情報という）をシステムコントローラ１４に供給する。エンコードされたデータ（以下、エンコードストリームという）は、バッファ１３を介して記録部４０へ供給される。
【００２０】
システムコントローラ１４は、再生装置３０からディジタル又はアナログの映像信号が供給されると信号入力部１１及びエンコーダ１２をコントロールしてエンコードを開始させる。このシステムコントローラ１４は、変化点検出部２１及び管理ファイル生成部２２を有する。システムコントローラ１４の管理ファイル生成部２２は、エンコード情報に基づいて、例えば各ＧＯＰの先頭にあるシーケンスヘッダをリスト化した情報や、画像データをリファレンス化した情報等の録画情報を含む、管理ファイルとしてのインデックスファイルを生成する。インデックスファイルは、エンコーダ１２がエンコードした本体のエンコードストリームのファイルと共に記録部４０にて記録される。
【００２１】
ここで、本実施の形態にかかるシステムコントローラ１４は、変化点検出部２１により、エンコード情報のうち、圧縮データ量の変化、本形態においてはビットレートの変化量に基づき、ビデオ信号又はオーディオ信号の変化点、すなわち本実施の形態においては、映像開始点を検出する。そして、上記管理ファイル生成部２２が、変化点検出部２１の変化点検出結果に基づき、上記インデックスファイルに変化点情報としてのチャプタ(chapter)を付加する。変化点としての映像開始点にチャプタを付加することで、記録部４０に記録されたエンコードストリームの編集を容易とする。
【００２２】
すなわち、再生装置３０から供給される映像信号には、映像開始点前にホワイトノイズなどの無信号やブルーバックなどからなる不要映像部分が含まれる場合がある。これをそのままエンコードして記録部４０に記録した場合、この映像開始点前の不要映像部分までが記録されてしまう。ユーザの再生装置１３０が無信号部分はブルーバックとして表示する再生装置の場合を例にとって具体的に説明する。例えば、ユーザが、ディジタルビデオカメラにより複数回にわたって映像を記録し、その複数の記録映像を記録部４０に記録した場合、各記録映像開始点前にブルーバックが混入することとなる。記録部４０にて記録したストリームを再生又は編集する装置が、先頭画像をサムネイル表示してタイトルの内容を識別させる機能を有している場合、各記録映像の切れ目にブルーバックが混入するため、前記複数の記録映像のそれぞれのサムネイルがブルーバックとなる。よって、ユーザは、当該サムネイルによっては記録映像の内容が識別できず、何の映像データかが不明となってしまう。このようなストリームをユーザが編集装置にて編集する場合、ブルーバック部分（不要映像部分）はユーザが逐一削除しなければならず、記録後の編集作業が煩雑となる。
【００２３】
更に、信号入力部１１の入力信号情報をシステムコントローラに送り、映像先頭に含まれる無信号部分の録画を予防しようとすると、各入力信号部１１、エンコーダ１２等の各処理部の信号遅延により映像開始点の正確な位置を検出することができない。また、エンコーダ１２の遅延は、処理する映像に応じて異なることから、エンコーダ１２からシステムコントローラ１４へのフィードバック情報なしにシステムコントローラ１４が正確な映像開始点を判断して録画開始を制御することは困難である。
【００２４】
そこで、本実施の形態におけるシステムコントローラ１４は、エンコーダ１２からエンコード処理時の情報を受け取る。そして、通常生成するインデックスファイルに、変化点検出部２１にて検出した映像開始点の情報をチャプタとして付加する。これにより、ユーザは、記録データを、このチャプタによって編集することができ、ブルーバックなどの不要映像部分と本来の映像開始点との切れ目を逐一探すことなく、当該不要映像部分の削除等の編集作業が簡単化する。
【００２５】
図２は、変化点検出部２１の変化点検出方法を説明する図である。本実施の形態における変化点検出部２１は、次の方法により映像開始点を検出する。すなわち、第１の方法は、ビットレートが第１の所定値Ｂ１より大きい信号から、閾値Ｔｈａ以上の大きさで減少する時点を映像開始点として検出する。例えば、ホワイトノイズの場合、ビットレートが本来の映像部分より大きくなるため、これを所定値Ｂ１により判定する。すなわち、所定値Ｂ１より大きい信号は、例えばホワイトノイズなどの雑音信号と判定することができる。そして、本来の映像が開始した時点でビットレートが減少する。この変化量を閾値Ｔｈａにより検出することで、映像開始点を検出することができる。
【００２６】
また、第２の方法としては、ビットレートが第２の所定値Ｂ０未満の信号から、閾値Ｔｈｂ以上の大きさで増加する時点を映像開始点として検出することができる。例えばブルーバックの場合、ビットレートは本来の映像部分より小さくなるため、これを所定値Ｂ０により判定する。すなわち、所定値Ｂ０より小さい信号は、例えば不要映像信号を雑音信号と判定することができる。そして、本来の映像が開始した時点でビットレートが増加する。この変化量を閾値Ｔｈｂにより検出することで、映像開始点を検出することができる。
【００２７】
図３は、本実施の形態におけるディジタル画像記録装置の動作を示すフローチャートである。先ず、システムコントローラ１４が、信号入力部１１及びエンコーダ１２を制御し、画像入力処理を開始する（ステップＳ１）。次いで、エンコーダ１２が信号入力部１１でデコードされディジタル化されたディジタル画像データをエンコードし、ストリームデータを生成する（ステップＳ２）。このとき、システムコントローラ１４は、エンコーダ１２から、ビットレートなどのエンコード処理時の情報を受け取る。なお、本実施の形態においては、ビデオ信号及びオーディオ信号のいずれのビットレートも受け取ることとするが、ビデオ信号のビットレートの変化量のみに基づき変化点を検出したり、オーディオ信号のビットレートの変化量のみに基づき変化点を検出するようにしてもよく、またこれらの機能をユーザが適宜選択できるようにしてもよい。
【００２８】
そして、変化点検出部２１は、エンコード処理時の情報のうち、ビットレートの変化量に基づき映像開始点である変化点を検出する（ステップＳ３）。管理ファイル生成部２２は、変化点検出部２１が変化点を検出すると、その位置にチャプタを付加したインデックスファイルを生成する（ステップＳ４）。そして、記録部４０は、バッファ１３を介して供給されるストリームデータと、管理ファイル生成部２２が生成したインデックスファイルとを、ディスク等の記録媒体に記録する（ステップＳ５）。
【００２９】
次に、ステップＳ３、Ｓ４における変化点検出乃至インデックスファイル生成処理について詳細に説明する。図４は、システムコントローラ１４の動作を示すフローチャートである。変化点検出部２１は、エンコーダ１２から供給されるビットレートを監視する。そして、ビットレートの変化量が閾値より大きい場合（ステップＳ２：Ｙｅｓ）、映像開始点としてこれを検出する。すなわち、上述したように、ビットレートの減少量が閾値Ｔｈａ以上であるか、又はビットレートの増加量が閾値Ｔｈｂ以上である場合を検出する。管理ファイル生成部２２は、インデックスファイルの該当位置にチャプタを付加する。なお、このとき、後述するように、信号入力部からの通知等、その他の情報を考慮し変化点を確定するようにすることも可能である
【００３０】
以上の動作により、記録部４０には、ストリームデータ本体と共に、映像開始点情報としてチャプタが付されたインデックスファイルを記録することができる。これにより、映像の先頭部分、映像と映像との切れ目の部分等に不要映像が存在する場合には、チャプタに基づきその不要映像部分を簡単に削除編集したり、映像開始点のサムネイルを表示させたりすることができる。つまり、ユーザはインデックスファイルのチャプタを使用することで、映像開始点を探す必要がなくなり、編集が容易となる。
【００３１】
実施の形態２．
次に、本発明の実施の形態２について説明する。本実施の形態は、システムコントローラにおける変化点検出部２１の他の変化点検出例である。すなわち、変化点検出部２１は、上述のように、ビットレートの増加分、減少分のみで変化点を検出するようにしてもよいが、変化点前後のビットレートの変動や、信号入力部１からの映像信号の有無の情報も参照することで、変化点検出の確度を更に向上させることができる。なお、ディジタル記録装置の構成は、図１に示す実施の形態１と同様である。
【００３２】
図２に戻って、上述の如く、所定値Ｂ１より大きいビットレートから閾値Ｔｈａ以上の減少があった時点ｔ０、又は所定値Ｂ０より小さいビットレートから閾値Ｔｈｂ以上の増加があった時点ｔ０を検出した後、当該検出点ｔ０以前の所定期間Ｔ１において、ビットレートの変化量が所定の閾値ｔｈ１以内であるか否かを判定し、閾値ｔｈ１以内であった場合に、これを映像開始点と判定するものである。
【００３３】
また、更に、所定値Ｂ１より大きいビットレートから閾値Ｔｈａ以上の減少があった時点ｔ０、又は所定値Ｂ０より小さいビットレートから閾値Ｔｈｂ以上の増加があった時点ｔ０を検出した後、当該検出点ｔ０以降の所定期間Ｔ２において、ビットレートの変化量が所定の閾値ｔｈ２以内であるか否かを判定し、閾値ｔｈ２以内であった場合に、これを映像開始点と判定してもよい。
【００３４】
更にまた、信号入力部１１において、無信号（ビデオ信号及びオーディオ信号のない状態）期間を検出し、映像開始を検知したらこれをシステムコントローラ１４に通知するようにしてもよい。システムコントローラ１４は、変化点検出部２１の検出結果及び信号入力部１１からの通知に基づき、インデックスファイルにチャプタを付加することができる。
【００３５】
図５は、その一例を示すフローチャートであって、上述の図３のステップＳ３、Ｓ４の処理に対応する。図５に示すように、変化点検出部２１は、ビットレートが所定値Ｂ１より大きい又は所定値Ｂ０より小さいかを判定する（ステップＳ２１）。ビットレートが所定値Ｂ１より大きい又は所定値Ｂ０より小さい場合にはビットレートの監視を開始する（ステップＳ２２）。そして、ビットレートが所定値Ｂ１より閾値Ｔｈａ以上減少したとき、又は所定値Ｂ０より閾値Ｔｈｂ以上増加したときは、この時点ｔ０が映像開始点である確率が高いとして次のステップに進む。なお、以下のステップＳ２４〜Ｓ２６は実行せず、この時点でステップＳ２７に進み、映像開始点と判定してもよい。一方、ビットレートが所定値Ｂ１以上又は所定値Ｂ０以下の場合には、通常映像部分であると判断し（ステップＳ２１：Ｎｏ）、ビットレートが所定値Ｂ１より大又は所定値Ｂ０より小になるまで判定を繰り返す。
【００３６】
本例の場合は、次のステップＳ２４に進む。ステップＳ２４においては、上記検出点ｔ０以前の所定期間Ｔ１におけるビットレートの変化量が閾値ｔｈ１以内であるか否かを判定する。例えばブルーバックやホワイトノイズ、無信号期間であればビットレートはノイズ等による変動のみと考えられ、この間の変動量が小さいことを利用するものである。ここで、所定期間Ｔ１のビットレートの変動がｔｈ１以下であれば、以下のステップＳ２５、Ｓ２６は実行せず、この時点でステップＳ２７に進み、検出点ｔ０を映像開始点と判断してもよい。本例ではステップＳ２５に進む。
【００３７】
ステップＳ２５においては、上記検出点ｔ０以降の所定期間Ｔ２におけるビットレートの変動が閾値ｔｈ２以下であるか否かを判定する。本来の映像が開始されれば、通常の映像範囲内のビットレートの変動で納まることが予想されるためである。ここで、所定期間Ｔ２のビットレートの変動がｔｈ２以下であれば、以下のステップＳ２６は実行せず、この時点でステップＳ２７に進み、検出点ｔ０を映像開始点と判断してもよい。本例ではステップＳ２６に進む。
【００３８】
ステップＳ２６では、信号入力部１１からの映像開始通知を受け取っているか否かを判定する。なお、本来の映像開始前に無信号期間がない場合はこの通知はされないため、上記のビットレートの変化量のみで変化点を検出すればよい。なお、ビットレートの所定値Ｂ１、Ｂ０、閾値Ｔｈａ、Ｔｈｂ、ｔｈ１、ｔｈ２、及び所定期間Ｔ１、Ｔ２は、入力される映像信号や、再生装置の仕様等によって異なると考えられるが、一般的な映像に対応できる値を予め求めておく等して設定しておくことができる。また、必要に応じて、外部からこれらのパラメータを設定変更できるようにしてもよい。
【００３９】
こうして、これらの情報に基づき、検出点ｔ０を映像開始点と判定したら（ステップＳ２７）、管理ファイル生成部２２は、この検出点ｔ０に該当する位置にチャプタを付加したインデックスファイルを生成する。ここで、上述の実施の形態及び本実施の形態においては、オーディオデータ及びビデオデータ両方のビットレートの変化量により、映像開始点を検出するものとしたが、オーディオデータのビットレートの変化量のみを検出してもよい、又はビデオデータのビットレートの変化量のみを検出してもよい。
【００４０】
本実施の形態においては、ビットレートの変化量が大きい時点を映像開始点と推定し、さらにその前後の期間におけるビットレートの変化をみることで、より正確に映像開始点を検出することができる。
【００４１】
なお、本発明は上述した実施の形態のみに限定されるものではなく、本発明の要旨を逸脱しない範囲において種々の変更が可能であることは勿論である。例えば、本実施の形態においては、映像開始点を検出するものとして説明したが、同様の方法にて映像終了点を検出することも可能である。例えば、ビデオカメラで映像を記録する場合、記録映像と記録映像との間に不要映像が入ったり、又は故意に挿入したりする場合が考えられる。このような場合に、映像終了点についてもチャプタを付加すれば編集が容易になる。映像終了点を検出する場合には、通常の映像信号のビットレートと推定できるビットレートの範囲から逸脱してビットレートが変化した場合、例えば所定の閾値以上増加したり、所定の閾値以上減少したりした場合、本来の映像部分が終了し不要映像部分になったことを示すとし、この時点を映像終了点として検出すればよい。また、上述の実施の形態と同様、このビットレートの変化量情報と共に、変化点以前及び／又は以降の所定期間のビットレートの変動などの情報と合わせて映像終了点を検出するようにしてもよい。
【００４２】
更に、本実施の形態においては、システムコントローラ１４は、変化点にチャプタを付したインデックスファイルを生成するのみで、ストリームデータ本体はそのまま記録するものとして説明したが、ストリームデータ本体を編集するようにしてもよい。すなわち、システムコントローラで映像開始点及び映像終了点を検出したら、当該映像開始点乃至映像終了点までの映像を記録するものとし、入力信号に含まれる不要映像部分を削除するよう、各部を制御してもよい。又は、映像開始点のチャプタを付したインデックスファイルを生成するか、不要映像部分を削除したストリームデータを記録するかを、ユーザが外部から選択できるようにすることも可能である。
【００４３】
また、上述の実施の形態においては、記録装置として説明したが、記録再生装置としてもよいことは勿論である。この場合、記録再生装置は、図１に示す構成に更に、エンコードストリームをデコードするデコーダと、デコードしたディジタルビデオ信号をエンコードするビデオデエンコーダ及びアナログ信号に変換するＤＡコンバータと、ディジタルオーディオ信号をアナログ信号に変換するＤＡコンバータと、映像を表示する表示部とを備える。
【００４４】
システムコントローラ１４は、これらの再生処理も制御することとなる。この場合、本実施の形態にかかるエンコードストリームは、映像開始位置にチャプタが付加されたインデックスファイルと共に記録されている。よってシステムコントローラは、エンコードストリームにおいて、チャプタが示す位置の画像をサムネイルとして表示部に表示させることができる。このことにより、表示されるサムネイルは、映像開始位置の画像となり、不要映像信号部分をサムネイルとして表示することを防止することができる。また、通常映像部分のサムネイルが表示されるため、ユーザは映像の内容を容易に把握することができ、再生、編集等の作業を支援することができる。
【００４５】
また、記録生成装置が編集機能を有するものとすることも可能である。この場合、本実施の形態における記録部に記録されるインデックスファイルは、映像開始点にチャプタを有していることから、当該編集機能により映像開始点以前の不要映像部分を削除することなどが可能である。
【図面の簡単な説明】
【００４６】
【図１】本発明の実施の形態１にかかるディジタル画像記録装置を示すブロック図である。
【図２】本発明の実施の形態１における変化点検出部の変化点検出方法を説明する図である。
【図３】本発明の実施の形態１におけるディジタル画像記録装置の動作を示すフローチャートである。
【図４】本発明の実施の形態１におけるシステムコントローラの動作を示すフローチャートである。
【図５】本発明の実施の形態２におけるシステムコントローラの動作を示すフローチャートである。
【図６】従来のディジタル画像記録装置を示すブロック図である。
【符号の説明】
【００４７】
１０,１１０  ディジタル画像記録装置
１１,１１１  入力信号部
１２,１１２  エンコーダ
１３,１１３  バッファ
１４,１１４  システムコントローラ
２１,１２１  変化点検出部
２２,１２２  管理ファイル生成部
３０,１３０  再生装置
４０,１４０  記録部
【図１】
2007208874.tif 000003
【図２】
2007208874.tif 000004
【図３】
2007208874.tif 000005
【図４】
2007208874.tif 000006
【図５】
2007208874.tif 000007
【図６】
2007208874.tif 000008